(57)【要約】【目的】ダクト接続が必要な場合にも短時間で工場生産可能なハンドホール等の地中埋設管の新規な構造を提供する。【構成】四周側壁面のうち少なくとも一壁面に開口（１５ａ〜１５ｃ）を有する略箱状の本体１１と、本体開口に本体の外側から嵌着可能な略板状体の壁面ブロックと、本体開口に嵌着した壁面ブロックを固定する固定手段とを有してなるハンドホールなどの地中埋設箱１０であって、壁面ブロックは、任意箇所に任意数の穴が設けられ且つ各々の穴にダクト３５’の一端が内側面に開口した状態で固定されたダクト付き壁面ブロック３０’と、ダクト無し壁面ブロック（２０）の２種類が共通の外形状で用意され、必要に応じていずれか一方を用いて固定手段３６（２５）により本体開口に嵌着固定される。【選択図】図４
2006101575.tif 000002
【特許請求の範囲】
【請求項１】
四周側壁面のうち少なくとも一壁面に開口を有する略箱状の本体と、本体開口に本体の外側から嵌着可能な略板状体の壁面ブロックと、本体開口に嵌着した壁面ブロックを固定する固定手段と、壁面ブロックが嵌着される本体開口の開口縁に設けられる止水手段とを有してなり、壁面ブロックは、任意箇所に任意数の穴が設けられ且つ各々の穴にダクトの一端が内側面に開口した状態でコンクリート打設時に一体に固定されたダクト付き壁面ブロックと、ダクト無し壁面ブロックの２種類が共通の外形状で用意され、必要に応じていずれか一方を用いて固定手段により本体開口に嵌着固定されることを特徴とする地中埋設箱の構造。
【発明の詳細な説明】
【技術分野】
【０００１】
本発明はハンドホール等の地中埋設箱の構造に関し、特にダクト接続が必要な場合にも容易に適合可能な地中埋設箱の構造に関する。
【背景技術】
【０００２】
近年では電力ケーブルや通信ケーブルを地中に埋設することの要請が大きくなってきており、可撓性のある螺旋状波付ポリエチレン管（ＦＥＰ）等の軽量で可撓性のあるダクトをハンドホールに接続するようにしている。
【０００３】
従来は、ダクトを地中埋設箱（以下ハンドホールとして説明する）の壁面に形成した穴に取り付ける方法として、現場取付（図７）と工場取付（図８）の２通りの方法が採用されていた。
【０００４】
現場取付はハンドホール２の施工現場においてダクト１を取り付けるものであり、ダクト１の先端をハンドホール２壁面の穴３を通してハンドホール内側に引き込んでその先端をカットした（図７（Ａ））後、エポキシ系接着剤やモルタル４で穴３の隙間を塞ぎ（図７（Ｂ））、その硬化を待って取付を完了する。しかしながら、現場取付は地中に掘削された箇所での作業が要求されるため、エポキシ系接着剤やモルタルで穴を防ぐ作業を行うことが容易ではなく、作業性が悪い。加えて、ポリエチレン等の軟質材料で成形されるダクトは接着性が弱く、十分な接着強度が得られないため、接着剤硬化後にダクトが脱落する恐れがあり、防水性や耐震性にも問題がある。
【０００５】
工場取付は工場作業にてダクト５を取り付けるものであり、ハンドホール２の穴３をあけてこの穴３に所定長のダクト５を差し込み（図８（Ａ））、エポキシ系接着剤等４で穴３の隙間を防ぎ（図８（Ｂ））、その硬化を待って工場より製品出荷する。
【０００６】
なお、図７および図８に符号７で示されるのはベルマウスと呼ばれるもので、ダクト１，５内を通るケーブル（図示せず）がこれらの端部に当たって損傷することを防ぐためにハンドホール２の内部からダクト１，５の先端に嵌着されるものである。
【発明の開示】
【発明が解決しようとする課題】
【０００７】
工場取付は作業性の面では優れているが、四側壁面を有する一体型の既製ハンドホールを、ダクト接続が必要な壁面に穴あけ加工を施し、この穴にダクトを取付且つ固定する作業が要求されるため、製造時間が長くなるという問題を抱えている。ダクトはハンドホールの複数の壁面に取り付けることが要求されることがあり、また、一つの壁面に複数のダクトを接続すべき場合もあるため、これらの要求を満たすものを製造する場合はより長時間を要することになっていた。
【０００８】
そこで本発明は、従来技術における上記問題に鑑み、ダクト接続が必要な場合にも短時間で工場生産可能なハンドホール等の地中埋設管の新規な構造を提供することを目的とする。
【課題を解決するための手段】
【０００９】
上記の目的を達成するため、請求項１にかかる本発明は、四周側壁面のうち少なくとも一壁面に開口を有する略箱状の本体と、本体開口に本体の外側から嵌着可能な略板状体の壁面ブロックと、本体開口に嵌着した壁面ブロックを固定する固定手段と、壁面ブロックが嵌着される本体開口の開口縁に設けられる止水手段とを有してなり、壁面ブロックは、任意箇所に任意数の穴が設けられ且つ各々の穴にダクトの一端が内側面に開口した状態でコンクリート打設時に一体に固定されたダクト付き壁面ブロックと、ダクト無し壁面ブロックの２種類が共通の外形状で用意され、必要に応じていずれか一方を用いて固定手段により本体開口に嵌着固定されることを特徴とする地中埋設箱の構造である。
【発明の効果】
【００１０】
請求項１にかかる本発明による地中埋設箱の構造によれば、四周側壁面のうち少なくとも一壁面に開口を有する略箱状の本体と、本体開口に本体の外側から嵌着可能な略板状体の壁面ブロックと、本体開口に嵌着された壁面ブロックを固定する固定手段とを有してなり、しかも、壁面ブロックとして、任意箇所に任意数の穴が設けられ且つ各々の穴にダクトの一端が内側面に開口した状態で固定されたダクト付き壁面ブロックと、ダクト無し壁面ブロックの２種類が共通の外形状で用意されるので、必要に応じていずれか一方を用いて固定手段により本体開口に嵌着固定することができる。したがって、ダクトを取り付けた加工品としての地中埋設箱を受注した場合、その受注内容に応じたダクト付き壁面ブロックを固定手段により本体開口に嵌着固定することにより容易に工場生産することができ、加工手間が省略される。
【発明を実施するための最良の形態】
【００１１】
図１ないし図５を参照して、本発明による地中埋設箱の構造の一実施形態としてのハンドホール構造について以下詳述する。
【００１２】
図１はハンドホール本体１１を示し、コンクリート打設により底面１２と四周壁面１３ａ〜１３ｄとを有する上面開口の箱形に形成された一体成型品である。四周壁面１３ａ〜１３ｄは、底面１２の四周端から若干の角度外方に傾斜して立ち上がっている。底面１２の中央には本体内に溜まった水分を排出するための排水口１４が開口形成されている。四周壁面１３ａ〜１３ｄのうち、三方の壁面１３ａ〜１３ｃは開口部１５ａ〜１５ｃを有する開口壁面であり、残り一つの壁面１３ｄは開口部を有しない閉塞壁面である。
【００１３】
壁面１３ａ〜１３ｃに形成された開口部１５ａ〜１５ｃはすべて同一形状および同一寸法であり、内方から外方に向けて開口面積が大きくなるような傾斜開口縁面１６によって与えられる内側開口部と、該内側開口部の外側においてこれを完全に取り囲むようにより大きな開口面積を有して形成された外側段設部１７とから構成されている。内側開口部は開口壁面１３ａ〜１３ｃの壁厚の大半を占めており、外側段設部１７は比較的薄く形成されている。外側段設部１７の四隅部にはナット部となるインサート１８がコンクリート打設時に埋め込まれて一体的に固定されている。
【００１４】
このハンドホール本体１１の開口壁面１３ａ〜１３ｃの各開口部１５ａ〜１５ｃには、図２に示すダクト無し壁面ブロック２０または図３に示すダクト付き壁面ブロック３０のいずれかを嵌着固定することができる。したがって、ダクト無し壁面ブロック２０とダクト付き壁面ブロック３０は共通の外形状を有している。
【００１５】
図２を参照して、ダクト無し壁面ブロック２０は、コンクリート打設により、開口部１５ａ〜１５ｃの内側開口部に嵌着される内側突出部２１と、外側段設部１７に嵌着される平板状の外側被覆体２２とを有する一体成型品として製造されたものである。外側被覆体２２には、外側段設部１７の四隅部に設けられたナット部１８の位置に合わせて貫通孔２３が形成されている。内側突出部２１の四周側面は、内側開口部の傾斜開口縁面１６に沿うように略同一角度で傾斜しているが、傾斜開口縁面１６が略平面状に形成されているのに対し、内側突出部２１の四周側面は外方を凸とする曲面２４を呈するように形成されている。
【００１６】
図３を参照して、ダクト付き壁面ブロック３０も、コンクリート打設により、開口部１５ａ〜１５ｃの内側開口部に嵌着される内側突出部３１と、外側段設部１７に嵌着される平板状の外側被覆体３２とを有する一体成型品として製造されたものである。外側被覆体３２には、外側段設部１７の四隅部に設けられたナット部１８の位置に合わせて貫通孔３３が形成されている。内側突出部３１の四周側面は、内側開口部の傾斜開口縁面１６に沿うように略同一角度で傾斜しているが、傾斜開口縁面１６が略平面状に形成されているのに対し、内側突出部３１の四周側面は外方を凸とする曲面３４を呈するように形成されている。以上の形状および構成は図２のダクト無し壁面ブロック２０と同様であり、各部の寸法も同一である。
【００１７】
ダクト付き壁面ブロック３０がダクト無し壁面ブロック２０と異なる点は、そのコンクリート打設時に任意箇所に任意数のダクトの一端を埋め込んだ状態で硬化させることにより、ダクト３５の該一端を内側突出部３１側で開口させるとともに他端側を外側被覆体３２から外側に突出させて固定一体化させた点である。図３に示す実施形態では、壁面ブロック３０の高さ方向略中央に３本のダクト３５が左右方向に等間隔で並設されている。
【００１８】
なお、上記のようにコンクリート打設時にダクト３５を一体化させてダクト付き壁面ブロック３０を工場生産したものにおいて、ダクト３５の材質とコンクリートとの熱膨張率の違いにより、時間経過とともにこれらの間に隙間が発生して、水漏れの原因となる可能性がある。これを解決するため、図６に示すように、ダクト３５の根元部分に止水部材４０を巻き付けておき、この状態でコンクリート打設を行ってダクト付き壁面ブロック３０とすることが好ましい。止水部材４０としては、たとえば、ブチルゴム、ブチルゴムと合成スポンジの複合品などのゴム系弾性部材や、水膨張性不織布（高吸水・高吸湿繊維を加工した不織布）、水膨張性ブチルゴムなどの水膨張性部材、エポキシ変性弾性接着剤やエポキシ樹脂系接着剤などの接着剤を用いることができる。
【００１９】
図４は、図１のハンドホール本体１１の３つの壁面開口部１５ａ〜１５ｃにそれぞれダクト付き壁面ブロック３０’を嵌着固定して製造したハンドホール１０を示す。このダクト付き壁面ブロック３０’は図３に示すダクト付き壁面ブロック３０とは若干構成が異なるもので、２本の比較的大径のダクト３５’が取り付けられている。ダクト付き壁面ブロック３０，３０’を各壁面開口部１５ａ〜１５ｃに嵌着固定するには、その内側突出部３１を外側から壁面開口部１５ａ〜１５ｃに嵌め込んだ後、外側被覆体３２に形成された各貫通孔３３に外側からネジ３６を挿通し、その先端を外側段設部１７の四隅部に設けたナット部１８にねじ込むことにより行う。
【００２０】
このようにしてダクト付き壁面ブロック３０，３０’が三側面に取り付けられたハンドホール本体１１を工場生産した後、工事現場に搬送して所定箇所に埋設した後、その上に略同一の平面形状および寸法を有する枠体３７を載置して接着剤により接合し、枠体３７上にさらに円形開口を有する略円筒状の縁塊３８を載置して接着剤により接合し、縁塊３８の円形開口を鉄蓋３９で閉塞して、図４のダクト付きハンドホール１０として設置される。
【００２１】
図５は、図１のハンドホール本体１１の３つの壁面開口部１５ａ〜１５ｃにそれぞれダクト無し壁面ブロック２０を嵌着固定した状態を示す。ダクト無し壁面ブロック２０を各壁面開口部１５ａ〜１５ｃに嵌着固定するには、その内側突出部２１を外側から壁面開口部１５ａ〜１５ｃに嵌め込んだ後、外側被覆体２２に形成された各貫通孔２３に外側からネジ２５を挿通し、その先端を外側段設部１７の四隅部に設けたナット部１８にねじ込むことにより行う。
【００２２】
このようにしてダクト無し壁面ブロック２０が三側面に取り付けられたハンドホール本体１１を工場生産した後、工事現場に搬送して所定箇所に埋設した後、その上に、図４に示すと同様に、略同一の平面形状および寸法を有する枠体３７を載置して接着剤により接合し、枠体３７上にさらに円形開口を有する略円筒状の縁塊３８を載置して接着剤により接合し、縁塊３８の円形開口を鉄蓋３９で閉塞することにより、ダクト無しハンドホールとして設置される。
【００２３】
なお、前述の開口部１５ａ〜１５ｃの開口縁形状およびこれに対応するダクト無し壁面ブロック２０、ダクト付き壁面ブロック３０，３０’の四周縁形状によって、ハンドホール本体１１を地中に埋設して使用したときに雨水や地下水などが本体内に侵入することを実質的に防止または抑制することができるが、浸水効果をより向上させるために付加的な手段を採用しても良い。たとえば、壁面ブロック２０，３０，３０’の四周縁が当接する開口部１５ａ〜１５ｃの開口縁部分に止水部材を貼着することができる。止水部材としては、前述の止水部材４０と同様に、たとえば、ブチルゴム、ブチルゴムと合成スポンジの複合品などのゴム系弾性部材や、水膨張性不織布（高吸水・高吸湿繊維を加工した不織布）、水膨張性ブチルゴムなどの水膨張性部材、エポキシ変性弾性接着剤やエポキシ樹脂系接着剤などの接着剤を用いることができる。
【図面の簡単な説明】
【００２４】
【図１】本発明の一実施形態によるハンドホール構造におけるハンドホール本体を示す横断面図（Ａ）および片側断面正面図である。
【図２】図１のハンドホール本体の壁面開口部に嵌着固定可能なダクト無し壁面ブロックの一例を示す平面図（Ａ）、正面図（Ｂ）、側面図（Ｃ）および側面図中のＡ部拡大図（Ｄ）である。
【図３】図１のハンドホール本体の壁面開口部に嵌着固定可能なダクト付き壁面ブロックの一例を示す平面図（Ａ）、正面図（Ｂ）および側面図（Ｃ）である。
【図４】図１のハンドホール本体の３つの壁面開口部にそれぞれダクト付き壁面ブロックを嵌着固定して製造したハンドホールを示す平面図（Ａ）および正面図（Ｂ）である。
【図５】図１のハンドホール本体の３つの壁面開口部にそれぞれダクト無し壁面ブロックを嵌着固定した状態を示す平面図（Ａ）および正面図（Ｂ）である。
【図６】根元部分に水膨張性部材を巻き付けたダクトを示す説明図である。
【図７】従来技術である現場取付によりダクトをハンドホールに取り付ける作業工程を示す説明図である。
【図８】別の従来技術である工場取付による作業工程を示す説明図である。
【符号の説明】
【００２５】
１０  ハンドホール
１１  ハンドホール本体
１２  本体底面
１３ａ〜１３ｄ  本体壁面
１３ａ〜１３ｃ  開口部を有する開口壁面
１３ｄ  開口部を有しない閉塞壁面
１４  排水口
１５ａ〜１５ｃ  開口部
１６  開口部の内側傾斜開口縁面
１７  開口部の外側段設部
１８  インサート（ナット部）
２０  ダクト無し壁面ブロック
２１  内側突出部（内側部分）
２２  外側被覆体（外側部分）
３０，３０’  ダクト付き壁面ブロック
３１  内側突出部（内側部分）
３２  外側被覆体（外側部分）
３５，３５’  ダクト
４０  止水部材
【図１】
2006101575.tif 000003
【図２】
2006101575.tif 000004
【図３】
2006101575.tif 000005
【図４】
2006101575.tif 000006
【図５】
2006101575.tif 000007
【図６】
2006101575.tif 000008
【図７】
2006101575.tif 000009
【図８】
2006101575.tif 000010